(57)【要約】【課題】  特定周波数の電磁波の各種の周波数に対する遮蔽効果を有し、高い電磁遮蔽効果と高い可視性とを有する周波数選択性電磁波遮断フィルムを提供する。【解決手段】  高分子材料から成るフィルムに電導性材料で長さ調整の容易な格子型の幾何学的繰り返しパターンを形成することによって特定周波数に対する電磁遮蔽効果を有する繰り返しパターンを各種の周波数に応じて容易に作製することができ、可視性および電磁遮蔽効果を向上することができる。【選択図】      図１
2005158851.tif 000002
【特許請求の範囲】
【請求項１】
高分子材料から成るフィルムに導電性に優れた材料により格子型の幾何学的繰り返しパターンを形成するとともに、前記格子型が縦軸方向および横軸方向に配置された一定長直線状の導電性材料からなる辺部材を組み合わせた格子型であって、縦軸方向に配置された辺部材の中間点の左右には前記辺部材から一定長の隙間をおいて横軸方向に伸びる辺部材が配置され、また横軸方向に配置された辺部材の上下には前記辺部材から一定長の隙間をおいて縦軸方向に伸びる辺部材が配置されることによって格子型の幾何学的繰り返しパターンが形成されていることを特徴とする周波数選択性電磁波遮断フィルム。
【請求項２】
前記格子型幾何学的繰り返しパターンを形成する辺部材の縦軸方向および横軸方向のそれぞれの辺部材において、一辺を形成する前記辺部材を複数本とし前記辺部材の断面積の和を低減させることなく一本当たりの線幅を細くする、ことを特徴とする請求項１に記載した周波数選択性電磁波遮断フィルム。
【請求項３】
前記周波数選択性電磁波遮断フィルムにおいて、辺部材を暗色で塗装或いは電導性材料を化学変化させることによって暗色化し辺部材を目立たなくさせた請求項１または２に記載した周波数選択性電磁波遮断フィルム。
【発明の詳細な説明】
【技術分野】
【０００１】
本発明は、例えば窓ガラスなどに張設されて屋内と屋外との間を通過する特定の周波数を有する電磁波を遮断する周波数選択性電磁波遮断フィルムに関するものである。
【背景技術】
【０００２】
従来、構内ＰＨＳや無線ＬＡＮなどの無線システムを導入して屋内配線工事を避け機動的な情報の運用を図ることがオフィスなどで行われている。
【０００３】
ところが、前記無線システムを導入するには、室外からの妨害電波を室内へ進入するのを防ぐとともに、室内で使用している通信電波が室外に漏れないことが必要であり、電波を通過させやすい窓ガラスの部分に周波数選択性電磁波遮断フィルムを張設することが行われている。
【０００４】
従来の周波数選択性電磁波遮断フィルムは、パターン化した小さな線状アンテナを透明フィルムにこのアンテナが有する電磁界吸収等価面積を考慮して定期的に配列させることにより、フィルムに設けたパターン化した小さなアンテナがアンテナ金属部分の面積のみが電磁波吸収エネルギーを反射するのではなく、アンテナ金属面近傍の電磁界に対しても反射効果を有するためフィルムをガラスなどに貼るだけで金属の窓枠に導通させること無しに簡単に電磁遮蔽効果を得ることができ、加えて、透明フィルムに電磁界吸収等価面積を考慮して間隔を有して散在させることにより、採光性・可視性を確保することができるものである（特許文献１参照）。
【０００５】
ところが、前記公報に提示されている従来の周波数選択性電磁波遮断フィルムは、透明フィルムに導電材を例えば印刷することによりパターン化した小さな線状アンテナを設けるものであり、その結果、パターンサイズが数十ｍｍに対して線幅が０．３〜０．６ｍｍ程度と透明部分に比して大きく、窓ガラスに貼った際に充分な可視性を得ることが困難である、という問題がある。
【０００６】
また、前記従来の公報に提示されている周波数選択性電磁波遮断フィルムにおける線状アンテナの繰り返しパターンはＹ字型であり、水平面の電波以外の傾きの異なる電波にも対応することができるが、パターン相互の配置間隔を変化させることが困難で各種の周波数の電磁波に対応させることが困難である。
【０００７】
そこで、パターンの線幅を１００μｍ以下とし形状を単純化することによりパターン配置の変化を可能にすることによって、可視性にすぐれ、特定の周波数を有する電磁波の電磁遮蔽効果に対応する幾何学的繰り返しパターンからなる周波数選択性電磁波遮断フィルムを提供した（特許文献２参照）。
【特許文献１】特開平１０−１２６０９０号公報
【特許文献２】特開００３−１６８８８８号公報
【発明の開示】
【発明が解決しようとする課題】
【０００８】
ところが、特許文献２記載の従来の周波数選択性電磁波遮断フィルムは幾何学的繰り返しパターンが十字に交わる二つの直線からなるか三角形からなる形状であるため生産性に乏しいばかりでなく、Ｙ字型の繰り返しパターンと同様に、パターンの形状やパターン相互の配置間隔を変化させるのには困難な形状であるため、特定周波数の電磁波への遮蔽効果を有する幾何学的繰り返しパターンを各種の周波数に応じてそれぞれ作製するのは容易ではない。
【０００９】
また、無線ＬＡＮや通信移動電子機器の普及により、更なる高い電磁遮蔽効果を有する可視性の高いフィルムが必要とされる。
【００１０】
本発明は前記従来の周波数選択性電磁波遮断フィルムにおける問題点を改善するためになされたものであって、特定周波数の電磁波を遮蔽可能な導電性材料で形成される幾何学的繰り返しパターンを各種の周波数に対して容易に作製可能とするとともに、それぞれに対する電磁遮蔽効果をより高くするとともにより高い可視性を有する周波数選択性電磁波遮断フィルムを提供することを課題とするものである。
【課題を解決するための手段】
【００１１】
前記課題を解決するため、本発明は、高分子材料から成るフィルムに導電性に優れた材料により格子型の幾何学的繰り返しパターンを形成することを特徴とし、従来の周波数選択性電磁波遮断フィルムのパターンよりも単純化することにより、特定周波数に対する電磁遮蔽効果を有する繰り返しパターンを各種の周波数に応じて容易に作製することができ、さらに、可視性および電磁遮蔽効果を向上することができる。
【発明の効果】
【００１２】
以上のように、本発明は、フィルムに導電性に優れた材料により格子型の幾何学的繰り返しパターンを形成することにより、パターンを単純化することができ、特定周波数に対応した電磁遮蔽効果を有する周波数選択性電磁遮断フィルムを容易に作製することができる。
【００１３】
また、従来一本から成る辺部材の本数を多くしてそれぞれの線幅を細くすることによって、電磁遮蔽効果を低減させることなくフィルムの可視性を高くすることができ、線幅の細い辺部材の本数をさらに多くすることにより、可視性を高く保持したままさらに効果的な電磁遮断性を有する周波数選択性電磁遮断フィルムを提供することができる。
【００１４】
さらに、辺部材を黒色等の暗色で塗装或いは電導性材料を化学変化させることによって暗色化することによって辺部材を目立たなくさせ、より美観に富んだ周波数選択性電磁遮断フィルムを提供することができる。
【発明を実施するための最良の形態】
【００１５】
次に本発明の実施の形態について説明する。
【００１６】
図１は、本発明の好ましい実施の形態の一例を示すものであり、例えばポリエステルまたはポリカーボネートなどの合成樹脂の透明度の高い、可視性に優れたシート状のフィルム１の片面に、例えば銅、金、銀、アルミニウムなどのように導電性に優れた材料を用いて、例えば、蒸着法、スパッタリング、エッチング法、無電解鍍金などにより格子型４の幾何学的繰り返しパターン２を辺部材３によって形成する。尚、線幅は２０〜２００μｍが好ましく、さらに好ましくは２０〜１００μｍである。２０〜１００μｍとしたのは、２０μｍよりも狭くすることは製作上の理由から困難であり、１００μｍを超えると可視性が低下するためである。
【００１７】
また、幾何学的繰り返しパターン２の格子型４は、縦軸方向および横軸方向に同一の長さを持ち繰り返しパターン２の一辺を形成する辺部材３からなっており、１つの繰り返しパターン２には４つの格子型４が含まれる。縦軸方向に配置された縦辺部材３ｖの中間点に対して横軸方向に配置された横辺部材３ｈが交わることなく水平に座しており、縦辺部材３ｖの中間点と横辺部材３ｈの端点との間には隙間Ｇｈが設けられている。同様に、横辺部材３ｈの中間点に対して縦辺部材３ｖが交わることなく垂直に座しており、横辺部材３ｈの中間点と縦辺部材３ｖの端点との間には隙間Ｇｖが設けられている。このことにより、縦および横のいずれの方向にも電磁遮蔽効果を持たせるだけでなく、辺部材３の長さ、即ち幾何学的繰り返しパターン２の一辺の長さと隙間Ｇの長さとを変化させることにより、遮断電磁波の周波数の調整を容易にすることができ、特定周波数を有する電磁波に対する電磁波遮断フィルムを容易に提供することができる。また、パターンを繰り返すことによって、配置誤差や長さ誤差による電磁遮断特性への悪影響を防ぐことができる。
【００１８】
更に、繰り返しパターン２の長さは施工するガラス内での目的波長の約７０％程度が好ましい。また、縦軸方向への変化量は電界が縦軸方向の偏波に影響し、横軸方向への変化量は横方向の偏波に影響する。
【００１９】
本実施の形態では、ガラス板に張った場合、特に、格子型が重なって成る幾何学的繰り返しパターン２の一辺の長さを３８．４ｍｍ、隙間Ｇを２．３ｍｍとしたときに遮断周波数を２．０ＧＨｚ程度にすることができ、日常使用される主な電波の一つである通信移動電子機器の電磁波を有効に遮断することが確認された。また、これに限定されることなく幾何学的繰り返しパターン２の一辺の長さと隙間Ｇを変化させることによって、室内無線ＬＡＮやその他通信移動電子機器からの電磁波をも遮蔽する効果を得ることが可能である。
【００２０】
尚、図２は図１に示した実施の形態についての電磁遮断特性を示すものであり、周波数２．０ＧＨｚ付近で最大の電磁遮蔽効果が得られることが確認された。
【００２１】
図３は本発明の異なる実施の形態を示すものであり、使用する素材や幾何学的繰り返しパターン２は前記図１に示した実施の形態とほぼ同様であるが、辺部材３の線の本数及び線幅が異なり、本実施の形態では辺部材３の線は２本であり、その線幅（即ち線の断面積）は前記図１に示した実施の形態における線幅の２分の１であり、可視性を高めることができる。
【００２２】
即ち、本実施の形態では、電磁遮蔽効果を低減させることなく可視性の高い周波数選択性電磁波遮断フィルムを提供することが可能となる。
【００２３】
図４は本発明の更に異なる実施の形態を示すものであり、使用する素材や幾何学的繰り返しパターン２は前記図１及び前記図３に示した実施の形態とほぼ同様であるが、辺部材３の線の本数及び線幅が異なり、本実施の形態では辺部材３の線は４本であり、線幅（断面積）は前記図１に示した実施の形態における線幅の２分の１である。
【００２４】
即ち、図３に示す実施の形態の場合と同様に可視性の高い電磁波遮断フィルムであるとともに、辺部材３の本数を２倍にしたことによって電磁遮蔽効果をより効果的にすることができる。
【００２５】
また、図１，３，４の周波数選択性電磁波遮断フィルムにおいて、図示しない黒色等暗色の塗料で辺部材３を塗装或いは電導性材料を化学変化させることによって暗色化することによって辺部材３を目立たなくさせることができる。
【図面の簡単な説明】
【００２６】
【図１】本発明の好ましい実施の形態を示す一部を拡大した部分概略図。
【図２】図１に示した実施の形態についての電磁遮断特性図。
【図３】本発明の異なる実施の形態を示す一部を拡大した部分概略図。
【図４】本発明の更に異なる実施の形態を示す一部を拡大した部分概略図。
【符号の説明】
【００２７】
１  フィルム
２  幾何学的繰り返しパターン
３，３ｖ，３ｈ  辺部材
４  格子型
Ｇ，Ｇｖ，Ｇｈ  隙間
【図１】
2005158851.tif 000003
【図２】
2005158851.tif 000004
【図３】
2005158851.tif 000005
【図４】
2005158851.tif 000006